(57)【特許請求の範囲】
【請求項１】
ほぼ箱状のベース体と、このベース体の開口部に取り付けられる配線基板と、この配線基板に搭載された発光素子と、この発光素子を覆って前記ベース体に取り付けられる透光性カバーとを備え、前記ベース体は、底面部とこの底面部の周辺部からほぼ垂直に立ち上がる側面部とを有しているとともに、前記底面部と反対側の上部に前記開口部を有し、前記配線基板を前記ベース体に一体に形成した基板保持部により保持してベース体に取り付け、前記ベース体を被取り付け部に取り付けるボルトを通すボルト通孔を前記底面部に設け、前記底面部の内面に、前記配線基板に接続される電線を保持する電線保持部を一体に形成し、前記底面部には、前記ボルト通孔に連続して、前記電線を通す電線通孔が設けられていることを特徴とする照明ユニット。
【請求項２】
前記基板保持部は、前記ベース体に一体に形成された複数の突起状基板保持部からなり、前記配線基板の隅部に、前記突起状基板保持部が係合する切欠き部を形成し、前記各突起状基板保持部に配線基板上に係合する係合爪をそれぞれ形成し、前記複数の突起状基板保持部のうちの一対の突起状基板保持部間に前記配線基板を入れると、前記配線基板により押されて前記一対の突起状基板保持部は相互に離反する方向へ弾性的に変位するものであることを特徴とする請求項１記載の照明ユニット。
【請求項３】
前記ベース体に、このベース体を被取り付け部に取り付ける固定具を組み込む固定具組み込み部を形成し、前記固定具組み込み部にボルトを組み込んだベース体と、前記固定具組み込み部にナットを組み込んだベース体とを、前記ボルトおよびナットを螺着することにより連結したことを特徴とする請求項１又は２記載の照明ユニット。
【発明の詳細な説明】
【０００１】
【発明の属する技術分野】
本発明は、自動車に利用される照明ユニットに関する。
【０００２】
【発明が解決しようとする課題】
自動車の車内や車外の比較的小範囲の照明に用いられる照明ユニットは、発光ダイオード（以下、ＬＥＤという）や電球などの発光素子を搭載した配線基板を合成樹脂などからなるベース体に取り付け、このベース体をボルトやナットなどの固定具によりロアカバーなどの被取り付け部に取り付けるようにしている。
【０００３】
そして、従来のこの種の照明ユニットでは、ベース体に配線基板をビスなどの別体の固定具を用いて取り付けていたが、そのため、部品点数および組立工数が多くなるとともに、品質維持が難しい問題があった。
【０００４】
また、従来の照明ユニットでは、ベース体を被取り付け部に取り付けるためのボルトやナットの位置が固定していた。そのため、照明ユニットに汎用性がなく、例えば車種が変わる毎に、新たな専用の照明ユニットが必要になっていた。すなわち、機種毎に新規の型投資が必要になっていた。
【０００５】
また、照明ユニットから導出されるハーネス（電線）あるいはこのハーネスが接続される配線基板の損傷を防止するためには、ベース体内でハーネスを保持することが必要であるが、従来は、この保持のために、別部品をベース体内に取り付けるようにしていた。そのため、部品点数および組立工数が多くなる問題があった。
【０００６】
さらに、従来のこの種の照明ユニットでは、配線基板に汎用性がなかった。例えばＬＥＤでは、１つの配線基板に１つのＬＥＤしか搭載することができなかった。
【０００７】
本発明は、このような問題点を解決しようとするもので、構造および組立が容易で汎用性が高い照明ユニットを提供することを目的とする。より具体的には、配線基板をベース体に容易にかつ品質を維持しつつ取り付けられるようにすることや、照明ユニットを様々な場所に様々な形態で取り付けられるようにすることや、ハーネスなどの電線の保持構造を簡単にすることを目的とする。
【０００８】
【課題を解決するための手段】
請求項１の発明の照明ユニットは、前記目的を達成するために、ほぼ箱状のベース体と、このベース体の開口部に取り付けられる配線基板と、この配線基板に搭載された発光素子と、この発光素子を覆って前記ベース体に取り付けられる透光性カバーとを備え、前記ベース体は、底面部とこの底面部の周辺部からほぼ垂直に立ち上がる側面部とを有しているとともに、前記底面部と反対側の上部に前記開口部を有し、前記配線基板を前記ベース体に一体に形成した基板保持部により保持してベース体に取り付け、前記ベース体を被取り付け部に取り付けるボルトを通すボルト通孔を前記底面部に設け、前記底面部の内面に、前記配線基板に接続される電線を保持する電線保持部を一体に形成し、前記底面部には、前記ボルト通孔に連続して、前記電線を通す電線通孔が設けられているものである。したがって、ベース体に配線基板を取り付けるためにねじなどの別部品は不要であり、ベース体への配線基板の取り付けが容易になる。また、ベース体の底面部のボルトを利用して照明ユニットを被取り付け部に取り付けることができる。さらに、底面部の電線通孔から電線を外部に導出し、その電線に引き抜き荷重が加わっても、この荷重が電線保持部で受けられるので、配線基板あるいはこの配線基板と電線との接続部が損傷することが防止される。
【０００９】
請求項２の発明は、請求項１の発明の照明ユニットにおいて、前記基板保持部は、前記ベース体に一体に形成された複数の突起状基板保持部からなり、前記配線基板の隅部に、前記突起状基板保持部が係合する切欠き部を形成し、前記各突起状基板保持部に配線基板上に係合する係合爪をそれぞれ形成し、前記複数の突起状基板保持部のうちの一対の突起状基板保持部間に前記配線基板を入れると、前記配線基板により押されて前記一対の突起状基板保持部は相互に離反する方向へ弾性的に変位するものである。そして、ベース体に配線基板を取り付けるにあたっては、一対の突起状基板保持部を弾性的に変位させることにより、係合爪を乗り越えて配線基板を突起状基板保持部の所定位置に係合させる。すなわち、配線基板の隅部の切欠き部を各突起状基板保持部にそれぞれ係合するとともに、各突起状基板保持部の係合爪を配線基板上にそれぞれ係合させる。これにより、配線基板がベース体に固定される。
【００１０】
請求項３の発明は、請求項１または２の発明の照明ユニットにおいて、前記ベース体に、このベース体を被取り付け部に取り付ける固定具を組み込む固定具組み込み部を形成し、前記固定具組み込み部にボルトを組み込んだベース体と、前記固定具組み込み部にナットを組み込んだベース体とを、前記ボルトおよびナットを螺着することにより連結したものである。これにより、複数の照明ユニットを連結して使用することができる。
【００１１】
【発明の実施形態】
以下、本発明の照明ユニットの実施形態について、図面を参照しながら説明する。この照明ユニット１は、基本的に図１から図５に示すように、ベース体２と、このベース体２に取り付けられ発光素子であるＬＥＤ３を搭載した配線基板４と、ＬＥＤ３を覆ってベース体２に取り付けられる透光性カバー５とからなっている。
【００１２】
前記ベース体２は、合成樹脂の一体成形品であり、ほぼ細長い箱状になっている。つまり、ベース体２は、底板部11とこの底面部11の周辺部からほぼ垂直に立ち上がる一対の長側面部12および一対の短側面部13とを有しているとともに、底板部11と反対側の上部に開口部14を有している。
【００１３】
前記両長側面部12の上端縁には、それぞれ切欠き部16が中央部に形成されているとともに、この切欠き部16を挟んで両端部に突起状基板保持部17，18が一体に突出形成されている。特に、ベース体２の一端側の突起状基板保持部17は、厚さが側面部12，13と同じになっており、比較的容易に弾性的に変位可能になっている。一方、ベース体２の他端側の突起状基板保持部18は、長側面部12から内方へ若干突出している。そして、突起状基板保持部17，18の先端部で相互に対向する内面には係合爪19，20がそれぞれ一体に突出形成されている。ベース体２の一端側の突起状基板保持部17の係合爪19は、突出量が比較的小さくなっているとともにほぼ三角形状になっており、ベース体２の他端側の突起状基板保持部18の係合爪20は、突出量が比較的大きくなっている。なお、ベース体２の底面部11には、この底面部11と直交する方向における前記係合爪19，20の投影形状を包含する通孔21あるいは切欠き部22が形成されている。さらに、突起状基板保持部17，18の外面には、ほぼ三角形状のカバー保持爪23がそれぞれ突出形成されている。
【００１４】
また、前記ベース体２の底面部11には、突起状基板保持部18側の端部にほぼ矩形状のボルト通孔26が形成されている。このボルト通孔26は、底面部11の長手方向中央部側が幅広部26aになっており、反対側がより幅の狭い幅狭部26bになっている。なお、前記切欠き部22は、幅狭部26bに臨んでいる。また、両長側面部12間には、前記幅広部26aに対向する上遮蔽壁27と、この上遮蔽壁27の一側縁から底面部11まで垂下する側遮蔽壁28とが一体に形成されている。この遮蔽壁27，28は、ボルト通孔26をベース体２の内部から遮蔽するものである。さらに、前記幅広部26aに連続するとともに底面部11から遮蔽壁27，28を貫通して電線通孔29が形成されている。
【００１５】
また、前記両短側面部13の上部には、ほぼ半円形状のボルト通孔31がそれぞれ形成されている。また、ベース体２内における突起状基板保持部17側の端部には、前記ボルト通孔31と同軸的に位置する半円形状の切欠き部32を有する押え壁33が底面部11および両短側面部13に沿わせて一体に形成されている。これにより、一方の短側面部13と押え壁33との間および他方の短側面部13と突起状基板保持部18との間に固定具組み込み部34がそれぞれ形成されている。さらに、両短側面部13の外面には固定突起35，36がそれぞれ形成されている。図２０に示すように、両短側面部13の固定突起35，36は、ボルト通孔31の中心軸からの半径距離が互いに異なっている。
【００１６】
さらに、前記ベース体２の底面部11の内面には、電線保持部としての一対のハーネス保持突起37，38が垂直に一体に形成されている。
【００１７】
前記ベース体２を射出成形などの手段により成形するときには、底面部11と直交する方向に開閉する固定型および可動型を備えた金型が利用されるが、型抜きに際してアンダーカット形状になるおそれのある係合爪19，20などに対しては、底面部11の対応する位置に通孔21、切欠き部22を形成するなどして、アンダーカット形状にならないようにしている。ボルト通孔26や遮蔽壁27，28や電線通孔29も同様である。すなわち、ベース体２は、固定型および可動型のパーティングラインを適当に設定すれば、スライドコアなどを用いることなく、固定型および可動型のみで成形が可能な形状になっている。
【００１８】
図７および図８は、ベース体２の変形例を示している。この変形例では、ハーネス保持突起37，38を鉤状に形成しているとともに、これら鉤状のハーネス保持突起37，38を固定型および可動型のみによりベース体２に一体に成形できるように、ベース体２の底面部11には、この底面部11と直交する方向における前記ハーネス保持突起37，38の先端部の凸部37a，38aの投影形状を包含する通孔37b，38bが形成されている。図７および図８のようにハーネス保持突起37，38を鉤状に形成した場合、後述するハーネス51の保持がより確実になる利点がある。一方、図１および図２などに示すように、ハーネス保持突起37，38を単なる柱状に形成した場合は、成形のためにベース体２の底面部11に通孔37b，38bを形成する必要がなく、照明ユニット１内への異物の侵入を抑制できる利点がある。
【００１９】
前記配線基板４は、図９および図１０に示すように、ほぼ矩形状で、前記ベース体２の両長側面部12の先端縁上にちょうど被さる程度の幅になっている。また、配線基板４の四隅部には、前記ベース体２の突起状基板保持部17，18にそれぞれ嵌合する固定用切欠き部41，42が形成されている。ベース体２の両端部の突起状基板保持部17，18は幅が相互に異なっているので、配線基板４の両端部の固定用切欠き部41，42も幅が相互に異なっている。したがって、配線基板４は、ベース体２に所定の向きでしか取り付けられないようになっている。さらに、配線基板４の両側中央部には、ハーネス通し用切欠き部43がそれぞれ形成されている。
【００２０】
また、配線基板４の裏面には、導電パターン46が形成されている。この導電パターン46は、配線基板４の両側部にそれぞれ沿う正極部46aおよび負極部46bと、ＬＥＤ抵抗接続部46cと、抵抗ＬＥＤ接続部46dと、ＬＥＤダイオード接続部46eとを有している。正極部46aおよび負極部46bには、両端部およびハーネス通し用切欠き部43の近傍位置などにそれぞれ通孔からなる接続部47が形成されている。そして、正極部46aおよび負極部46bのハーネス通し用切欠き部43近傍の接続部47にハーネス51の電線51a，51bがそれぞれ接続されている。これら電線51a，51bは、上側から配線基板４に接続されている。また、正極部46aとＬＥＤ抵抗接続部46cとの間に１つのＬＥＤ３が接続され、ＬＥＤ抵抗接続部46cと抵抗ＬＥＤ接続部46dとの間に抵抗52が接続され、抵抗ＬＥＤ接続部46dとＬＥＤダイオード接続部46eとの間に逆接防止用のダイオード53が接続され、ＬＥＤダイオード接続部46eと負極部46bとの間にもう一つのＬＥＤ３が接続されている。前記電線51a，51b、ＬＥＤ３、抵抗52およびダイオード53は、全て配線基板４にその下側（裏側）で半田付けされており、これにより、コストダウンできる。特に、電線51a，51bを下側で半田付けすることは、これら電線51a，51bをハーネス通し用切欠き部43に通すことにより可能になったものである。なお、図５において、54は、ハーネス51の先端部に接続されたカプラーである。
【００２１】
図１１は、前記配線基板４の回路図を示している。電気的には、正極55と負極56との間に前記一対のダイオード３、抵抗52およびダイオード53が直列に接続される。
【００２２】
なお、上記の導電パターン46は一例に過ぎず、導電パターンはさまざまな構成をとり得る。ジャンパー線などの利用も可能であるが、前記実施例のようにジャンパー線を用いない構成とした方がコスト的に有利である。また、本実施例では、１つの配線基板４に２つのＬＥＤ３を搭載するようにしているが、ＬＥＤ３の搭載数は適宜設定できる。
【００２３】
例えば図１２には、配線基板４におけるＬＥＤ３、抵抗52およびダイオード53の搭載の他の例が示されている。この例では、配線基板４の一側にのみハーネス通し用切欠き部57が形成されているとともに、このハーネス通し用切欠き部57の両側にハーネス51の両電線51a，51bがそれぞれ接続されている。
【００２４】
また、図１８および図１９には、配線基板４におけるＬＥＤ３および抵抗52などの搭載のさらに他の例が示されている。
【００２５】
前記透光性カバー５は、合成樹脂の一体成形品からなり、乳白色などで透光性を有している。そして、透光性カバー５は、一面を開口したほぼ箱状になっており、この透光性カバー５の開口部側は、前記ベース体２の長側面部12の外側に嵌合する嵌合部61になっている。また、この嵌合部61の両端面部には、ベース体２の両短側面部13が内側に嵌合する凹部62がそれぞれ形成されている。さらに、これら凹部62には、ほぼ半円形状のボルト通孔63がそれぞれ形成されている。また、嵌合部61の両側面部には、前記ベース体２のカバー保持爪23がそれぞれ係合される係合孔部64が形成されている。また、透光性カバー５内の端部の側面には押えリブ65がそれぞれ形成されている。さらに、透光性カバー５の先端部には、複数のＲ状凹部からなるレンズ部66が形成されている。
【００２６】
つぎに、前記照明ユニット１の組立について説明する。まず、ベース体２への配線基板４の取り付けについて説明する。この配線基板４には、ＬＥＤ３、抵抗52、ダイオード53およびハーネス51を予め接続しておく。そして、図１７に矢印Ａで示すように、まず配線基板４の一端部をベース体２の一対の突起状基板保持部18間で係合爪20の下側に差し込む。ついで、図１７に矢印Ｂで示すように、配線基板４の他端側をベース体２に押し付けて一対の突起状基板保持部17間に入れる。それに伴い、配線基板４により押されて両突起状基板保持部17が相互に離反する方向へ弾性的に変位し、配線基板４が係合爪19を乗り越える。最終的には、配線基板４がベース体２の両長側面部12の上縁上に載り、各突起状基板保持部17，18の係合爪19，20が配線基板４に上側から係合することにより、ベース体２に対する配線基板４の上下方向の移動が規制される。また、配線基板４の四隅部の固定用切欠き部41，42に突起状基板保持部17，18がそれぞれ係合することにより、ベース体２に対する配線基板４の前後左右方向の移動が規制される。これにより、ベース体２に配線基板４が確実に固定される。しかも、配線基板４の取り付けのためにビスなどの別部品は不要である。
【００２７】
つぎに、このようにベース体２に配線基板４を取り付けるに際してのハーネス51の引き回しについて説明する。配線基板４の正極部46aに接続された電線51aは、その接続部47近傍のハーネス通し用切欠き部43に通して配線基板４の裏側に導き、負極部46bに接続された電線51bは、その接続部47近傍のハーネス通し用切欠き部43に通して配線基板４の裏側に導く。そして、特に図１３に示すように、電線51a，51bをベース体２における電線通孔29と反対側のハーネス保持突起37に掛け回し、ついでもう一つのハーネス保持突起38に掛け回して、さらに電線通孔29を通してベース体２外に導出する。つまり、電線51a，51bは、両ハーネス保持突起37，38に８の字状に掛け回す。そして、ベース体２に配線基板４を取り付けるに際しては、電線51a，51bを予め所定の形状に屈曲させておき、ベース体２に配線基板４を取り付けるのに伴って、この配線基板４により押されて電線51a，51bがハーネス保持突起37，38に前記所定の掛け回し状態で装着されるようにする。
【００２８】
前述のようにハーネス51がハーネス保持突起37，38に掛け回してあるので、ハーネス51を外方へ引いたとしても、その張力がハーネス保持突起37で受けられることにより、配線基板４には直接荷重がかからない。
【００２９】
図１４は、ハーネス51の引き回しの他の例を示している。この例は、前記図１２に示す配線基板４の場合のものであり、配線基板４の一側に接続された両電線51a，51bがともに配線基板４の一つのハーネス通し用切欠き部57に挿通され、ハーネス保持突起37，38に掛け回され、電線通孔29を通してベース体２外に導出される。そして、ハーネス51に引き抜き荷重が加わっても、その張力がハーネス保持突起37で受けられることにより、引き抜き荷重に抗して配線基板４や配線基板４と電線51a，51bとの接続部を保護できる。
【００３０】
また、図１５は、ハーネス51を横出しにした例である。すなわち、ハーネス51をベース体２の一方の短側面部11のボルト通孔31から導出した例である。これは、特に後述のように複数の照明ユニット１を横に連結する場合に利用できる。なお、横出しの場合でも、ハーネス51は、一対のハーネス保持突起37，38にそれぞれ掛け回される。
【００３１】
つぎに、照明ユニット１に、この照明ユニット１を被取り付け部に取り付けるためのボルト71あるいはナット72を組み付ける構成について説明する。ベース体２には、ボルト71を底面部11から裏側（下側）へ突出するように組み付けることもできるし、ボルト71を短側面部13から突出するように組み付けることもできる。そして、これらボルト71あるいはナット72は、ベース体２に配線基板４を取り付けた後に適宜取り付けることができる。ボルト71は、頭部71aが四角形状になった四角ボルトである。
【００３２】
図１６および図１７は、ベース体２の底面部11へのボルト71の組み付けを示している。まず（ａ）のように、ボルト71をベース体２に近付けるとともに必要に応じて回転させ、（ｂ）のように、底面部11に対してボルト71を斜めにした状態で、このボルト71の頭部71aをボルト通孔26へその幅広部26aから挿入する。その後、（ｃ），（ｄ）のように、ボルト71をそのねじ部71bが底面部11と直交する状態になるまで回転させる。これにより、頭部71aの全体がボルト通孔26を通り抜けてベース体２内に入る。ついで、（ｅ）のように、ボルト71全体をボルト通孔26において幅狭部26b側に摺動させる。幅狭部26bはボルト71の頭部71aよりも幅が小さく、したがって、ボルト71は、ベース体２から容易には外れない状態になる。しかしながら、前記（ｅ）、（ｄ）、（ｃ）、（ｂ）、（ａ）の手順を逆に行うことにより、ベース体２からボルト71を外すことができる。
【００３３】
また、ベース体２の側面部にボルト71を組み込むには、このボルト71の頭部71aを一方の短側面部13と押え壁33との間の固定具組み込み部34あるいは他方の側面部13と突起状基板保持部18との間の固定具組み込み部34に真っ直ぐ挿入する。ボルト71は、その頭部71aが短側面部13と押え壁33あるいは突起状基板保持部18との間に挟まれることにより仮保持され、ベース体２の長手方向に沿ってねじ部71bがボルト通孔31から外方へ突出する。また、ボルト71に代えて四角形状のナット72を短側面部13と押え壁33あるいは突起状基板保持部18との間に同様にして挿入して組み付けることもできる。
【００３４】
透光性カバー５は、その嵌合部61をベース体２に嵌合することにより、このベース体２に取り付ける。このとき、透光性カバー５自体が弾性変形することにより、透光性カバー５がベース体２のカバー保持爪23を乗り越え、最終的にこれらカバー保持爪23が透光性カバー５の係合孔部64にそれぞれ係合する。これにより、透光性カバー５がベース体２に固定される。また、ベース体２の短側面部13にボルト71が組み付けられている場合、透光性カバー５のボルト通孔63がボルト71のねじ部71bに被さる。これとともに、図６に示すように、透光性カバー５の押えリブ65がボルト71の頭部71aまたはナット72を上から押え、
これにより、ボルト71またはナット72が照明ユニット１に確実に固定された状態になる。
【００３５】
図１８および図１９などに示されている76は、本照明ユニット１を被取り付け部に取り付けるときに補助的に用いられるブラケットの一例である。ブラケット76は、ステンレスなどからなるもので、使用目的などに応じて適宜の形状のものを用いることができるが、
基本的にはベース体２の両短側面部13の外面に沿う一対の側板部77と、これら側板部77を連結する連結部78とを有する。そして、側板部77には、ボルト71のねじ部71bまたはビス79が挿通される通孔80がそれぞれ形成されている。これら通孔80は、図２１に示すように、ベース体２の外面の固定突起35，36が入る程度の径になっている。また、図２２に示すようにブラケット76の材厚t1が例えば0.5mmであるのに対して、固定突起35，36の突出量t2は例えば１mm程度でブラケット76の材厚よりも大きくなっており、固定突起35，36は、
ブラケット76の側板部77からさらに外方へ突出するようになっている。さらに、ブラケット76の連結部78には、ベース体２にその底面部11から突出する状態で取り付けられたボルト71を通す通孔81が形成されている。
【００３６】
本照明ユニット１は、様々な使用形態が可能である。以下、それについて説明する。照明ユニット１は、単独で用いることももちろん可能であるが、図１９は、２つの照明ユニット１を連結した状態を示している。２つの照明ユニット１を連結するには、一方（図示右側）の照明ユニット１の突起状基板保持部17側の短側面部13にボルト71を組み付けておき、他方（図示左側）の照明ユニット１の突起状基板保持部18側の短側面部13にナット72を組み付けておく。
【００３７】
また、各照明ユニット１には前記ブラケット76をそれぞれ組み付けておく。このブラケット76の組み付けにあたって、右側の照明ユニット１では、ブラケット76の側板部77の通孔80に挿通したビス79を、ベース体２の突起状基板保持部18側の短側面部13に取り付けたナット72に螺着する。このとき、ビス79に装着したワッシャ82によりベース体２の固定突起36が潰れ、これにより、ベース体２にブラケット76が確実に固定される。一方、左側の照明ユニット１では、ブラケット76の側板部77の通孔80に挿通したビス79を、ベース体２の突起状基板保持部17側の短側面部13に取り付けたナット72に螺着する。このとき、ビス79に装着したワッシャ82によりベース体２の固定突起35が潰れ、これにより、ベース体２にブラケット76が確実に固定される。
【００３８】
そして、両照明ユニット１を相互に回転させることにより、右側のベース体２に組み付けておいたボルト71を左側のベース体２に組み付けておいたナット72に螺合する。このとき、両ベース体２の短側面部13の固定突起35，36は、ボルト通孔31の中心軸からの半径距離が互いに異なっているので、図２０に示すように、両固定突起35，36が互いに干渉することなく、両照明ユニット１を相互に回転させることができる。そして、最終的には、固定突起35，36が対向する短側面部13に押し付けられて潰れることにより、緩み止めが行われ、両照明ユニット１が確実に相互に所定位置に固定される。
【００３９】
同じ要領で、３個以上の照明ユニット１を連結することも可能である。
【００４０】
また、このように照明ユニット１を連結する場合、それぞれのハーネス51は共通に引き回すこともできるが、照明ユニット１で色を別にするような場合、ハーネス51は個々に引き回されることになる。
【００４１】
なお、照明ユニット１を単独で用いる場合でも、固定突起35，36を潰すことにより、ベース体２にブラケット76を確実に固定でき、ワッシャが不要の構造とできる。
【００４２】
図２３から図２６は、自動車の室内において、インストルメントパネル91の下方のロアカバー92に本照明ユニット１を取り付けて使用する例を示している。この照明ユニット１は、コンソール93のカップホルダ94などの照明に用いられる。また、図２４において、95は搭乗者の目の位置である。図２３および図２４は、照明ユニット１をロアカバー92に取り付けるのにブラケット76を利用した例である。この場合、照明ユニット１のベース体２の両短側面部13にはボルト71ではなくナット72を組み付けておき、一対のビス79を用いて、前述のようにして照明ユニット１にブラケット76を組み付ける。
【００４３】
このブラケット76は、ハーネス通孔96および一対のビス通孔97を連結部78に有している。また、ロアカバー92には、ブラケット76のハーネス通孔96およびビス通孔97にそれぞれ対応するハーネス通孔98および一対のビス通孔99が形成されている。そして、照明ユニット１をブラケット76に組み付けるに先立って、ブラケット76およびロアカバー92のビス通孔97，99に挿通したビス101にナット102を螺着することにより、ブラケット76をロアカバー92に取り付ける。また、照明ユニット１の配線基板４に接続するハーネス51をブラケット76およびロアカバー92のハーネス通孔96，98に通し、ロアカバー92内のハーネス103に接続する。さらに、前述のようにしてブラケット76に照明ユニット１を取り付ける。
【００４４】
この照明ユニット１は、コンソール93の特にカップホルダ94を照明するように方向付ける。照明ユニット１は、ブラケット76への取り付けに際し、ブラケット76に対してビス79の回りで回転させることにより、照射角度を調整できる。つまり、ブラケット76を用いることにより配光を調整することができる。そして、ＬＥＤ３を用いた照明ユニット１は、照射の指向性を狭くでき、また、照明ユニット１からの照射方向は搭乗者の目の方向とは大きく異なるため、搭乗者が照明ユニット１を目視したとしても、眩しく感じることはな
い。
【００４５】
一方、図２５および図２６は、照明ユニット１をロアカバー92に取り付けるに際して、ブラケットを用いず直接取り付ける例を示している。この場合、照明ユニット１には、その側面部13ではなく底面部11にボルト71を取り付けておく。また、ロアカバー92には、ハーネス通孔98とビス通孔99を形成しておく。そして、照明ユニット１のボルト71をロアカバー92のビス通孔99に通し、このボルト71にナット104を螺着することにより、照明ユニット１をロアカバー92に取り付ける。また、ハーネス51はロアカバー92のハーネス通孔98に通し、ロアカバー92内のハーネス103に接続する。この場合、照明ユニット１からの照射方向は制約される。
【００４６】
図２７および図２８は、本照明ユニット１をルーフライニングに取り付けた例を示している。この場合、前記図２３および図２４に示す例と同様にして、ルーフサイドガーニッシュ106に形成したハーネス通孔107およびビス通孔108を利用して、照明ユニット１をルーフサイドガーニッシュ106に取り付ける。ルーフサイドガーニッシュ106が細長いのに対応して、図２８に示す例では、５個の照明ユニット１を並べて用いているが、そのうちの二対は、前記図１８および図１９に示す例に示すように、ブラケット76を用いて連結してあり、このブラケット76を介してルーフサイドガーニッシュ106へ取り付けられる。また、ブラケット76を用いていない孤立した１つの照明ユニット１には、そのベース体２の底面部11から突出するボルト71が取り付けられており、これがルーフサイドガーニッシュ106への取り付けに用いられる。また、照明ユニット１からのハーネス51は、ハーネス通孔107に通しルーフサイドガーニッシュ106内に配線したハーネス109に接続する。なお、図２７において、111は車体、112は照明ユニット１を制御する制御ユニット、113はルームライト電源割り込み部であり、これら制御ユニット112およびルームライト電源割り込み部113に前記ハーネス109が接続される。
【００４７】
前記照明ユニット１の構成によれば、ベース体２がスライドコアなどを用いることなく、固定型および可動型のみで型抜きでき成形できる形状になっているので、ベース体２を成形するための金型の製作が容易である。
【００４８】
また、ベース体２に一体に形成した突起状基板保持部17，18によりベース体２に配線基板４を固定するようにし、ベース体２に配線基板４を組み付けるに際しては、突起状基板保持部17を弾性変形させることによりこれら突起状基板保持部17が配線基板４に係合されるようにしたので、ねじなどの別部品を用いて取り付ける場合とは異なり、ベース体２に配線基板４をワンタッチで容易に取り付けることができる。したがって、取り付け状態のばらつきも減り、品質維持もしやすい。
【００４９】
また、ハーネス51の引き抜き荷重の規格は0.5Ｎ（５kgf）以上であるが、照明ユニット１のベース体２内でハーネス51をハーネス保持突起37，38に掛け回したことにより、引き抜き荷重に抗することができ、ハーネス51に荷重がかかっても配線基板４に大きな応力がかかることを防止できる。したがって、配線基板４あるいはこの配線基板４とハーネス51との接続部が損傷することを防止できる。しかも、ハーネス保持突起37，38は、ベース体２に一体に形成してあるので、別部品を用いた場合に比べ、ハーネス51を保持するための構造が簡単である。
【００５０】
また、照明ユニット１を被取り付け部に取り付けるためのボルト71をベース体２の底面部11から突出する方向と短側面部13から突出する方向とに選択的に取り付けられるようにするとともに、短側面部13に沿う固定具組み込み部34には、ボルト71とナット72とを選択的に取り付けられるようにし、さらに照明ユニット１からハーネス51を導出する位置も選択できるので、同一の照明ユニット１を複数の方法で取り付けることができ、照明ユニット１の汎用性が高まる。複数の照明ユニット１を連結して使用することも可能である。
【００５１】
さらに、配線基板４の汎用性が高く、ＬＥＤ３の色替え、抵抗変更にも対応できる。すなわち、色の異なるＬＥＤ３では抵抗を変えなければならないが、その設定が容易である。また、従来、ＬＥＤ３などの発光素子については、１つの配線基板４に一つの発光素子を搭載するようにしていたが、本照明ユニット１では、１つの配線基板４に複数、例えば２つの発光素子を並べて搭載できる。
【００５２】
また、配線基板４の汎用性が高いことから、発光素子として電球を用いることもできる。図２９および図３０は、発光素子として電球121を用いた例を示している。この例では、１つの配線基板４に２つの電球121を搭載している。各電球121には、シリコンキャップ122を被せることができ、これにより、所望の色を設定することができる。配線基板４には、抵抗123は必要であるが、ＬＥＤ３の場合とは異なり、逆接防止ダイオードは不要である。また、ＬＥＤ３の場合とは異なり、配線基板４は１つのタイプでよい。さらに、ボリュームスイッチと連動して使用すれば、調光も可能である。配線基板４以外のベース体２や透光性カバー５は、ＬＥＤ３用のものをそのまま用いることができる。
【００５３】
このように電球121を用いた照明ユニット１は安価にできる。しかし、消費電力は、ＬＥＤ３を用いた方が少なくできる。一例であるが、12Ｖ時、電球121を用いた場合が２Ｗであるのに対して、ＬＥＤ３を用いた場合が0.2Ｗであり、ＬＥＤ３を用いた方が消費電力を約１／１０にも少なくできる。
【００５４】
なお、本発明は、前記実施例に限定されるものではなく、種々の変形実施が可能である。例えば、特に車外で照明ユニットを用いる場合、この照明ユニットに防水構造を付与するとより好ましい。
【００５５】
【発明の効果】
請求項１の発明の照明ユニットは、ほぼ箱状のベース体と、このベース体の開口部に取り付けられる配線基板と、この配線基板に搭載された発光素子と、この発光素子を覆って前記ベース体に取り付けられる透光性カバーとを備え、前記ベース体は、底面部とこの底面部の周辺部からほぼ垂直に立ち上がる側面部とを有しているとともに、前記底面部と反対側の上部に前記開口部を有し、前記配線基板を前記ベース体に一体に形成した基板保持部により保持してベース体に取り付け、前記ベース体を被取り付け部に取り付けるボルトを通すボルト通孔を前記底面部に設け、前記底面部の内面に、前記配線基板に接続される電線を保持する電線保持部を一体に形成し、前記底面部には、前記ボルト通孔に連続して、前記電線を通す電線通孔が設けられているものであり、この取り付けのための構造が簡単になるとともに、ベース体に配線基板を容易に取り付けることができ、したがって、取り付け状態のばらつきも減って品質維持が容易になる。また、電線に加わる引き抜き荷重に抗して配線基板や配線基板と電線との接続部を保護でき、しかも、電線の保持のために別部品を用いた場合に比べ、構造を簡単にできる。
【００５６】
さらに、請求項２の発明の照明ユニットは、前記基板保持部は、前記ベース体に一体に形成された複数の突起状基板保持部からなり、前記配線基板の隅部に、前記突起状基板保持部が係合する切欠き部を形成し、前記各突起状基板保持部に配線基板上に係合する係合爪をそれぞれ形成し、前記複数の突起状基板保持部のうちの一対の突起状基板保持部間に前記配線基板を入れると、前記配線基板により押されて前記一対の突起状基板保持部は相互に離反する方向へ弾性的に変位するものであり、簡単な構造で、ベース体に配線基板を容易かつ確実に取り付けることができる。
【００５７】
また、請求項３の発明の照明ユニットは、前記ベース体に、このベース体を被取り付け部に取り付ける固定具を組み込む固定具組み込み部を形成し、前記固定具組み込み部にボルトを組み込んだベース体と、前記固定具組み込み部にナットを組み込んだベース体とを、前記ボルトおよびナットを螺着することにより連結したものであり、複数の照明ユニッ
トをまとめて使用する場合、これら照明ユニットを確実に連結して使用できる。
【図面の簡単な説明】
【図１】本発明の照明ユニットの一実施例を示す分解右斜視図である。
【図２】同上分解左斜視図である。
【図３】同上分解下斜視図である。
【図４】同上分解下斜視図であり、図３とは視方向を変えてある。
【図５】同上組立状態の正面図である。
【図６】同上組立状態の断面図である。
【図７】ベース体の他の例を示す右斜視図である。
【図８】同上左斜視図である。
【図９】前記一実施例の配線基板の底面図である。
【図１０】同上配線基板の平面図である。
【図１１】同上配線基板の回路図である。
【図１２】配線基板の他の例を示す斜視図である。
【図１３】前記一実施例のベース体におけるハーネスの引き回しを示す斜視図である。
【図１４】ベース体におけるハーネスの引き回しの他の例を示す斜視図である。
【図１５】ベース体におけるハーネスの引き回しのさらに他の例を示す斜視図である。
【図１６】前記一実施例におけるボルトの取り付け方法を示す斜視図であり、（ａ）、（ｂ）、（ｃ）、（ｄ）は取り付けの過程を示している。
【図１７】前記一実施例における配線基板およびボルトの取り付け方法を示す断面図である。
【図１８】照明ユニットを連結して使用する例を示す分解斜視図である。
【図１９】同上透光性カバー以外を組み立てた状態の斜視図である。
【図２０】ベース体の左右両側面の固定突起の関係を示す断面図である。
【図２１】ベース体の固定突起とブラケットとの関係を示す断面図である。
【図２２】ベース体の固定突起とブラケットとの関係を示す断面図である。
【図２３】照明ユニットをロアカバーに使用した例を示す分解斜視図である。
【図２４】同上断面図である。
【図２５】照明ユニットをロアカバーに使用した他の例を示す分解斜視図である。
【図２６】同上断面図である。
【図２７】照明ユニットをルーフライニングに使用した例を示す斜視図である。
【図２８】同上分解斜視図である。
【図２９】照明素子としてＬＥＤの代わりに電球を用いた例を示す斜視図である。
【図３０】同上回路図である。
【符号の説明】
１  照明ユニット
２  ベース体
３  ＬＥＤ（発光素子）
４  配線基板
５  透光性カバー
11  底面部
12  長側面部
13  短側面部
14  開口部
17  突起状基板保持部（基板保持部）
18  突起状基板保持部（基板保持部）
19  係合爪
20  係合爪
26  ボルト通孔
29  電線通孔
37  ハーネス保持突起（電線保持部）
38  ハーネス保持突起（電線保持部）
41  固定用切欠き部（切欠き部）
42  固定用切欠き部（切欠き部）
71  ボルト
72  ナット
121  電球（発光素子）
【図１】
0003593695.tif 000002
【図２】
0003593695.tif 000003
【図３】
0003593695.tif 000004
【図４】
0003593695.tif 000005
【図５】
0003593695.tif 000006
【図６】
0003593695.tif 000007
【図７】
0003593695.tif 000008
【図８】
0003593695.tif 000009
【図９】
0003593695.tif 000010
【図１０】
0003593695.tif 000011
【図１１】
0003593695.tif 000012
【図１２】
0003593695.tif 000013
【図１３】
0003593695.tif 000014
【図１４】
0003593695.tif 000015
【図１５】
0003593695.tif 000016
【図１６】
0003593695.tif 000017
【図１７】
0003593695.tif 000018
【図１８】
0003593695.tif 000019
【図１９】
0003593695.tif 000020
【図２０】
0003593695.tif 000021
【図２１】
0003593695.tif 000022
【図２２】
0003593695.tif 000023
【図２３】
0003593695.tif 000024
【図２４】
0003593695.tif 000025
【図２５】
0003593695.tif 000026
【図２６】
0003593695.tif 000027
【図２７】
0003593695.tif 000028
【図２８】
0003593695.tif 000029
【図２９】
0003593695.tif 000030
【図３０】
0003593695.tif 000031